(57)【要約】【課題】照明ユニットを小型で薄形に構成して、ヘッダケースやドアパネルを大型とすることなく、標準仕様のヘッダケースやドアパネルをそのまま用いて構成することが可能なエレベータ乗場の出入口照明装置を提供する。【解決手段】エレベータ乗場の出入口６を構成する三方枠２と、前記三方枠２の背部に設けられたドアパネル懸架用のヘッダケース１１と、前記三方枠２の上枠４の上にスライド可能に設けられた出入口照明用の照明ユニット２６と、前記ヘッダケース１１に前記照明ユニット２６と対向して形成された点検口３３とを具備し、照明ユニット２６における光源として冷陰極蛍光ランプ２８を用い、照明ユニット２６を小型で薄形に構成する。【選択図】    図１
2004203609.tif 000002
【特許請求の範囲】
【請求項１】
エレベータ乗場における出入口と、
光源として冷陰極蛍光ランプが用いられた薄形構造の前記出入口照明用の照明ユニットと、
を具備することを特徴とするエレベータ乗場の出入口照明装置。
【請求項２】
エレベータ乗場の出入口を構成する三方枠と、
前記三方枠の背部に設けられたドアパネル懸架用のヘッダケースと、
前記三方枠の上枠の上にスライド可能に設けられた、光源として冷陰極蛍光ランプが用いられた薄形構造の前記出入口照明用の照明ユニットと、
前記ヘッダケースに前記照明ユニットと対向して形成された点検口と、
を具備することを特徴とするエレベータ乗場の出入口照明装置。
【請求項３】
請求項１または２に記載の冷陰極蛍光ランプに替えて、発光ダイオードおよび有機エレクトロルミネッセンスのうちの少なくともいずれか一方を光源として用いることを特徴とするエレベータ乗り場の出入口照明装置。
【発明の詳細な説明】
【０００１】
【発明の属する技術分野】
この発明は、エレベータ乗場における出入口を照明する照明装置に関する。
【０００２】
【従来の技術】
図３には、建屋におけるエレベータ乗場の外観図を示してあり、エレベータ乗場の壁体１には開口（図示せず）が形成され、その開口の両側部および上部を覆うように壁体１に三方枠２が据え付けられている。
【０００３】
この三方枠２は、前記開口の両側部を覆う一対の立枠３と、これら立枠３の上端部間に配置されて前記開口の上部を覆う上枠４とで門形状に構成されている。そして、この三方枠２とエレベータ乗場の床面５とで囲まれる空間部がエレベータの乗りかごに対する出入口６となっている。
【０００４】
三方枠２の背面側には、前記出入口６を開閉する例えば両開き式の一対のドアパネル８が設けられている。これらドアパネル８は、図４に示すように、エレベータ乗場の床面５とほぼ面一に壁体１の背面側に据え付けられた敷居１０の上にスライド自在に配置されている。
【０００５】
三方枠２における上枠４の後端外側上部には、その上枠４の左右長手方向に沿って延びるヘッダケース１１が設けられ、このヘッダケース１１の内側にドアパネル８の上部が配置されている。そしてヘッダケース１１の内側に懸架装置（図示せず）が設けられ、その懸架装置によりドアパネル８が左右に移動自在に懸架され、エレベータの乗りかご（図示せず）がエレベータ乗場に着床したときに、駆動装置（図示せず）によりドアパネル８が駆動されて左右に移動し、前記出入口６が開閉されるようになっている。
【０００６】
三方枠２における上枠４の上面部には、照明ユニット１３が設けられている。この照明ユニット１３はケース１４内に光源１５を設けてなる。光源１５としては白熱ランプあるいは通常一般の蛍光ランプが用いられている。
【０００７】
上枠４には、前記光源１５と対向して例えば光透過性の合成樹脂からなる照光板１６が設けられている。そして光源１５の点灯よる光が前記照光板１６を透過して上枠４の下方に照射され、この光で出入口６が明るく照明されるようになっている。
【０００８】
ヘッダケース１１には、照明ユニット１３を点検するための点検口１８がその照明ユニット１３と対向して形成され、この点検口１８にその開閉用の点検蓋１９が着脱可能に設けられている。
【０００９】
照明ユニット１３を点検する際には、ドアパネル８を手動で開いて点検蓋１９の周辺部分を開放する。そして作業員が出入口６から昇降路内に入り込み、前記点検蓋１９を取り外して点検口１８を開き、その点検口１８から手を差し込んで照明ユニット１３を点検する。
【００１０】
【発明が解決しようとする課題】
ところが、光源１５として白熱ランプや蛍光ランプが用いられた従来の照明ユニット１３においては、その全体の外形が大型で高さ寸法が大きく、このため点検口１８も大きな開口としなければならない。
【００１１】
したがって、照明ユニット１３を備えない標準仕様のエレベータ出入口構造の場合に比べ、ヘッダケース１１の高さ寸法を高くして大きな点検口１８を形成する必要が生じ、またヘッダケース１１の高さ寸法が大きくなることから、ドアパネル８の懸架レベルも高くなり、高さ寸法の大きなドアパネル８が必要となって全体が複雑化し、コストアップを招くという問題が生じる。
【００１２】
この発明はこのような点に着目してなされたもので、その目的とするところは、照明ユニットを小型で薄形に構成して、ヘッダケースやドアパネルを大型とすることなく、標準仕様のヘッダケースやドアパネルをそのまま用いて構成することができるエレベータ乗場の出入口照明装置を提供することにある。
【００１３】
【課題を解決するための手段】
請求項１の発明は、エレベータ乗場における出入口と、光源として冷陰極蛍光ランプが用いられた薄形構造の前記出入口照明用の照明ユニットとを具備することを特徴としている。
【００１４】
請求項２の発明は、エレベータ乗場の出入口を構成する三方枠と、前記三方枠の背部に設けられたドアパネル懸架用のヘッダケースと、前記三方枠の上枠の上にスライド可能に設けられた、光源として冷陰極蛍光ランプが用いられた薄形構造の前記出入口照明用の照明ユニットと、前記ヘッダケースに前記照明ユニットと対向して形成された点検口とを具備することを特徴としている。
【００１５】
請求項３の発明は、請求項１または２に記載の冷陰極蛍光ランプに替えて、発光ダイオードおよび有機エレクトロルミネッセンスのうちの少なくともいずれか一方を光源として用いることを特徴としている。
【００１６】
【発明の実施の形態】
以下、この発明の実施形態について図１および図２を参照して説明する。なお、従来の構成と対応する部分には同一符号を付して重複する説明を省略する。
【００１７】
図１には第１の実施形態を示してあり、この実施形態においては、三方枠２の上枠４の上面にカバー２５が取り付けられ、このカバー２５内に照明ユニット２６が収納されている。
【００１８】
照明ユニット２６は、反射板を兼ねるケース２７内に光源として直管形の冷陰極蛍光ランプ２８を複数本、例えば２本設けてなる。
【００１９】
冷陰極蛍光ランプ２８は、１〜６ｍｍ程度の直径を有する透光性放電容器と、この放電容器の両端部に封止された一対の冷陰極（図示せず）と、放電容器の内面に塗布された蛍光体（図示せず）と、放電容器内に封入された放電媒体（図示せず）とを備えている。
【００２０】
冷陰極蛍光ランプ２８は、陰極が加熱されることなく発光するため長寿命であり、また通常一般の蛍光ランプ（熱陰極蛍光ランプ）のような点灯・消灯の回数によって寿命が左右されるようなこともなく、さらに電圧を印加すると即点灯し、発光までの時間的な遅れがないことも特徴の１つとなっている。
【００２１】
前記ケース２７は下面に開口２９を有する矩形の箱形状をなし、このケース２７内に支持板２７ａを介して前記冷陰極蛍光ランプ２８が水平に架設されている。  冷陰極蛍光ランプ２８は上述したように直径が１〜６ｍｍ程度で、通常一般の蛍光ランプ（熱陰極蛍光ランプ）に比べその形状が格段に小さく、したがってこの冷陰極蛍光ランプ２８を収納するケース２７も小型で薄形となっている。そして前記冷陰極蛍光ランプ２８の点灯よる光が上枠４に設けられた照光板１６を透過して上枠４の下方に照射され、この光で出入口６が明るく照明されるようになっている。
【００２２】
前記照明ユニット２６は、上枠４の上にスライド機構３０を介してヘッダケース１１の配置側にスライド可能に支持されているとともに、ケース２７の一側面にはヘッダケース１１の配置側に向かって伸びる取っ手３１が取り付けられている。
【００２３】
前記ヘッダケース１１の下部には、薄形の照明ユニット２６に対応する高さ寸法の小さい点検口３３が形成され、この点検口３３から手を差し込み、前記取っ手３１に手を掛けて照明ユニット２６をスライド機構３０によるガイドで点検口３３から外部に引き出すことができるようになっている。なお、３４は点検口３３に脱着可能に設けられた点検蓋である。
【００２４】
照明ユニット２６を点検する際には、ドアパネル８を手動で開き、作業員が出入口６から昇降路内に入り込み、点検蓋３４を取り外して点検口３３を開く。そしてこの点検口３３から手を差し込んで照明ユニット２６の取っ手３１に手を掛けて照明ユニット２６を手前に引き寄せ、点検口３３から取り出し、この状態において照明ユニット２６に対する点検作業を行なう。この際、照明ユニット２６はヘッダケース１１の外側に引き出されているから、その点検作業を容易に能率よく行なうことができる。
【００２５】
照明ユニット２６は小型で薄形であるから、点検口３３も高さ寸法の小さい開口とすることができる。このため、ヘッダケース１１の高さ寸法を特に大きくする必要がなく、標準仕様のヘッダケース１１を用いることが可能となる。
【００２６】
そしてヘッダケース１１の高さ寸法を大きくする必要がないから、ドアパネル８の懸架レベルも高くならず、このため標準仕様の高さ寸法のドアパネル８を用いることが可能となり、全体が簡単化し、コストアップを抑えることができる。
【００２７】
図２には第２の実施形態を示してあり、この実施形態においては、三方枠２における上枠４の下面に照明ユニット４０が取り付けられている。この照明ユニット４０は前記第１の実施形態の場合と同様に、反射板を兼ねるケース４１内に光源としての冷陰極蛍光ランプ４２を設けた小型で薄形の構成となっている。そして冷陰極蛍光ランプ４２の点灯による光で出入口６を照明するようになっている。
【００２８】
このような構成の場合には、照明ユニット４０が三方枠２における上枠４の下面側に直接露出しているから、作業員が昇降路内に入り込むようなことなく、エレベータの乗場側からその照明ユニット４０に対する点検の作業を容易に能率よく行なうことができる。
【００２９】
したがってこの実施形態の場合には、ヘッダケース１１に点検口や点検蓋を設ける必要がなく、またヘッダケース１１やドアパネル８として標準仕様のものを用いることができ、このため構成がより簡単となる。
【００３０】
照明ユニット４０はその光源として冷陰極蛍光ランプ４２が用いられているから、小型で薄形であり、したがってこの照明ユニット４０が三方枠２における上枠４の下面側に直接露出していても、出入口６を通行する乗客の邪魔となることがなく、また特に意匠性を低下させることもない。
【００３１】
また、前記第１および第２のいずれの実施形態においても、照明ユニット２６，４０の光源として用いられた冷陰極蛍光ランプ２８，４２は通常一般の蛍光ランプに比べて格段に長寿命であり、このためその交換期間を大幅に延ばすことができ、保守が容易となる。さらに、冷陰極蛍光ランプ２８，４２は、通常一般の蛍光ランプのような点灯時における不規則な点滅動作がなく、即点灯が可能であり、このため出入口６を違和感なく照明することができる。
【００３２】
前記各実施形態においては、光源として冷陰極蛍光ランプを用いたが、その冷陰極蛍光ランプに替えてＬＥＤ（発光ダイオード）や有機ＥＬ（エレクトロルミネッセンス）を用いることも可能である。この場合、例えば複数の白色のＬＥＤや有機ＥＬの素子を適宜な形状のホルダ等に組み付けて棒状、リング状あるいは、二次元平面状等の形態にユニット化し、そのユニットをケース内に組み込んで照明ユニットとして構成する。なお、１個のＬＥＤや有機ＥＬの素子を用いて棒状、リング状あるいは、二次元平面状等に構成することも可能である。
【００３３】
ケース内には、光源としてＬＥＤのみを組み込む場合であっても、有機ＥＬのみを組み込む場合であっても、あるいはＬＥＤと有機ＥＬとを適数ずつ組み合わせて組み込む場合であってもよい。
【００３４】
ＬＥＤや有機ＥＬは白色のものを用いる場合のほか、周囲環境、光量、使用時間帯、使用季節等に応じて他の色のものを用いることも可能であり、また複数の色のＬＥＤや有機ＥＬを混在させることも可能である。さらに、光源としてＬＥＤや有機ＥＬと併せて冷陰極蛍光ランプをケース内に組み込んで照明ユニットとして構成することも可能である。
【００３５】
なお、ＬＥＤや有機ＥＬを発光させる手段としては、従来一般に使用されている駆動制御装置を用いることは言うまでもない。
【００３６】
【発明の効果】
以上説明したようにこの発明によれば、照明ユニットを小型で薄形に構成し、ヘッダケースやドアパネルを大型とすることなく、標準仕様のヘッダケースやドアパネルをそのまま用いてエレベータ乗場の出入口用の照明装置を構成することができる。
【図面の簡単な説明】
【図１】この発明の第１の実施形態を示す断面図。
【図２】この発明の第２の実施形態を示す断面図。
【図３】エレベータ乗場の外観を示す斜視図。
【図４】従来の照明装置を示す断面図。
【符号の説明】
１…壁体
２…三方枠
３…立枠
４…上枠
６…出入口
８…ドアパネル
１１…ヘッダケース
２５…カバー
２６…照明ユニット
２７…ケース
２８…冷陰極蛍光ランプ
３０…スライド機構
３１…取っ手
３３…点検口
３４…点検蓋
４０…照明ユニット
４１…ケース
４２…冷陰極蛍光ランプ
【図１】
2004203609.tif 000003
【図２】
2004203609.tif 000004
【図３】
2004203609.tif 000005
【図４】
2004203609.tif 000006